(57)【特許請求の範囲】
【請求項１】
左右方向に並べて設けられた複数の支持体の各対向面に、座の後部両側面に突設した枢軸が嵌合しうるようにした軸孔と、前記座における前記枢軸より前方の両側面に突設したピンが嵌合しうるようにした、前記軸孔を中心とする円弧状の長孔とを設け、前記座が、枢軸を中心として、前方を向く使用位置と、上方を向く折り畳み位置とに回動し得るようにした連結椅子において、いずれかの支持体と座との対向面間に、支持体に対向する面に、その支持体の軸孔と長孔の少なくとも両端部とに嵌合する突軸と突部とを有し、かつ座に対向する面に、その座の枢軸及びピンが嵌合する前記支持体におけるのと同一の軸孔及び長孔を有するスペーサを設けることにより、前記支持体と座とを互いに離間し得るようにしたことを特徴とする連結椅子。
【請求項２】
支持体の両側面に、軸孔及び長孔をそれぞれ左右対称に設けるとともに、軸孔の中心と長孔の中心とを結ぶ線を中心とする対称の位置に、深さが同一で、開口する向きを互いに異ならせた１対の凹部を設け、かつスペーサにおける突軸、及び突部が設けられた方の面における前記凹部に対向する部分に、該凹部に嵌合する突部を設けた請求項１記載の連結椅子。
【請求項３】
凹部の底部に、それに嵌合する突部の先端部をねじ止めした請求項２記載の連結椅子。
【請求項４】
複数の支持体を、左右方向を向く支持杆に、左右方向に位置調節可能として取り付けた請求項１〜３のいずれかに記載の連結椅子。
【請求項５】
各支持体の上端部に、肘掛けの中間部を枢着し、かつ座の後端部と肘掛けの後端部とに、背凭れの下端部と中間部とをそれぞれ枢着することにより、座と背凭れと肘掛けとを、座と肘掛けとがほぼ前後方向を向き、かつ背凭れが若干後傾する使用位置と、それらがすべてほぼ上方を向く折り畳み位置とに回動可能とした請求項１〜４のいずれかに記載の連結椅子。
【請求項６】
スペーサにより、支持体と座との間に形成された空間に、折り畳みテーブルを、座の上方においてほぼ水平をなす使用位置と、座の下方に収容される折り畳み位置とに移動可能とした折り畳みテーブル装置を設けた請求項１〜５のいずれかに記載の連結椅子。
【発明の詳細な説明】
【０００１】
【発明の属する技術分野】
本発明は、複数の椅子を左右方向に並べて連結した連結椅子に関する。
【０００２】
【従来の技術】
従来の移動観覧席用の折り畳み式の連結椅子は、上方を向く起立位置と前方を向く倒伏位置とに回動し得るようにした左右１対の脚杆の上端に、左右方向を向く支持杆を固着し、この支持杆に、複数の支持体を、左右方向に等間隔をもって固着し、互いに隣接する支持体間に、各単位の椅子を構成する座と背凭れと肘掛けとを、座と肘掛けとがほぼ前後方向を向き、かつ背凭れが若干後傾する使用位置と、それらがすべてほぼ上方を向く折り畳み位置とに回動可能とし装着したものよりなっている。
【０００３】
【発明が解決しようとする課題】
上述のような従来の連結椅子においては、各単位の椅子とそれに隣接する支持体との隙間は、可能な限り少なくするように設定されているので、それらの間に、折り畳み式のテーブル装置や、折り畳み式のカップホルダ等のオプション部材を装着することができず、それらを装着したい場合は、連結椅子全体をそれように設計し直さなければならず、作業は大掛かりとなり、過大な費用を要する。
【０００４】
本発明は、従来の技術が有する上記のような問題点に鑑み、各単位の椅子とそれに隣接する支持体との間隔を簡単に変更し得るようにすることにより、それらの間に形成された空間に、必要に応じてオプション部材を装着したり、各単位の椅子を、左右幅の異なるものと交換したりすることが容易にできるようにした連結椅子を提供することを目的としている。
【０００５】
【課題を解決するための手段】
本発明によると、上記課題は次のようにして解決される。
(１)  左右方向に並べて設けられた複数の支持体の各対向面に、座の後部両側面に突設した枢軸が嵌合しうるようにした軸孔と、前記座における前記枢軸より前方の両側面に突設したピンが嵌合しうるようにした、前記軸孔を中心とする円弧状の長孔とを設け、前記座が、枢軸を中心として、前方を向く使用位置と、上方を向く折り畳み位置とに回動し得るようにした連結椅子において、いずれかの支持体と座との対向面間に、支持体に対向する面に、その支持体の軸孔と長孔の少なくとも両端部とに嵌合する突軸と突部とを有し、かつ座に対向する面に、その座の枢軸及びピンが嵌合する前記支持体におけるのと同一の軸孔及び長孔を有するスペーサを設けることにより、前記支持体と座とを互いに離間し得るようにする。
【０００６】
(２)  上記(１)項において、支持体の両側面に、軸孔及び長孔をそれぞれ左右対称に設けるとともに、軸孔の中心と長孔の中心とを結ぶ線を中心とする対称の位置に、深さが同一で、開口する向きを互いに異ならせた１対の凹部を設け、かつスペーサにおける突軸、及び突部が設けられた方の面における前記凹部に対向する部分に、該凹部に嵌合する突部を設ける。
【０００７】
(３)  上記(１)または(２)項において、凹部の底部に、それに嵌合する突部の先端部をねじ止めする。
【０００８】
(４)  上記(１)〜(３)項のいずれかにおいて、複数の支持体を、左右方向を向く支持杆に、左右方向に位置調節可能として取り付ける。
【０００９】
(５)  上記(１)〜(４)項のいずれかにおいて、各支持体の上端部に、肘掛けの中間部を枢着し、かつ座の後端部と肘掛けの後端部とに、背凭れの下端部と中間部とをそれぞれ枢着することにより、座と背凭れと肘掛けとを、座と肘掛けとがほぼ前後方向を向き、かつ背凭れが若干後傾する使用位置と、それらがすべてほぼ上方を向く折り畳み位置とに回動可能とする。
【００１０】
(６)  上記(１)〜(５)項のいずれかにおいて、スペーサにより、支持体と座との間に形成された空間に、折り畳みテーブルを、座の上方においてほぼ水平をなす使用位置と、座の下方に収容される折り畳み位置とに移動可能とした折り畳みテーブル装置を設ける。
【００１１】
【発明の実施の形態】
以下、本発明の一実施形態を、添付図面を参照して説明する。
図１〜図５は、本発明を移動観覧席用の連結椅子に適用した一実施形態を示し、図６以降は、その各部の詳細を示す。
【００１２】
移動観覧席は、複数段の段床(１)(１段のみを図示する)を、上下方向に所要の間隔をもって積み重ねた収納状態から、各段床(１)を前方に階段状に引出し、各段床(１)上に設けた連結椅子(２)を、図２に想像線で示す倒伏位置から、同じく実線で示す起立位置まで起立させ、その後使用者が、連結椅子(２)の各単位椅子(３)を、図１に示すように展開して、使用できるようになっている。
また、上述の逆の順序で、連結椅子(２)を倒伏させ、各段床(１)を後方に移動させて、収納状態とすることができる。
【００１３】
連結椅子(２)は、段床(１)の後部上面に設けた起倒手段(４)により、上方を向く起立位置と、前方を向く倒伏位置とに起倒させられるようにした左右１対の脚杆(５)(５)と、両脚杆(５)(５)の上端に固着された左右方向を向く角管よりなる支持杆(６)と、この支持杆(６)に、左右方向に取付位置調節可能として装着された図６に示すような側面視ほぼ縦長三角形状の複数の支持体(７)とを備えている。
【００１４】
各支持体(７)は、その下端中央に設けられた方形の凹部(８)を、支持杆(６)に上方より跨嵌し、かつ支持杆(６)の下面に中央部を当接させた前後方向を向く固定板(９)の前後の端部に下方より貫通させたボルト(10)を、支持体(７)の下端前後部に螺締することにより、支持杆(６)の任意の位置に固定し得るようになっている。
【００１５】
互いに隣接する１対の支持体(７)(７)間には、各単位椅子(３)が配設されている。
各単位椅子(３)は、後端部が左右方向を向く枢軸(11)をもって左右の支持体(７)(７)の中位部に枢着された座(12)と、前後方向の中間部が左右方向を向く取付軸(13)をもって左右の支持体(７)(７)の上端部に枢着された左右１対の肘掛け(14)(14)と、座(12)の後端両側部より後方に突出するブラケット(15)(15)の後端部、及び肘掛け(14)(14)の後端部に、下端部及び中間部が、左右方向を向く軸ピン(16)(17)をもってそれぞれ枢着された背凭れ(18)とを備え、図１に示すように、座(12)と肘掛け(14)とがほぼ前後方向を向き、かつ背凭れ(18)が若干後傾する使用位置と、図２に実線で示すように、座(12)と肘掛け(14)と背凭れ(18)とがすべてほぼ上方を向く折り畳み位置とに折り畳み可能となっている。
なお、各単位椅子(３)自体の構造に関しては、本発明に直接関係しないので、これ以上の詳細な説明は省略する。
【００１６】
図６に示すように、各支持体(７)の中位部両側面には、座(12)の後部両側面に突設した枢軸(11)が嵌合しうるようにした軸孔(19)と、座(12)における枢軸(11)より前方の両側面に突設したピン(20)が嵌合しうるようにした、軸孔(19)を中心とする円弧状の長孔(21)とが、左右対称に設けられており、ピン(20)と長孔(21)との係合により、座(12)の回動範囲を、使用位置から折り畳み位置までの範囲に規制するようにしている。
【００１７】
また、各支持体(７)の両側面における軸孔(19)と長孔(21)との間には、軸孔(19)の中心と長孔(21)の中心とを結ぶ線(Ｌ)を中心とする対称の位置に、深さが同一で開口する向きを互いに左右に異ならせた１対の凹部(22)(23)が設けられている(図８参照)。
【００１８】
いずれかの支持体(７)と座(12)との対向面間、この例では、４個の支持体(７)のうちの中間の２個の支持体(７)の左端面とそれに対向する単位椅子(３)の座(12)の右端面との間には、スペーサ(24)が設けられている。
【００１９】
このスペーサ(24)は、支持体(７)に対向する面に、その支持体(７)の軸孔(19)と長孔(21)の少なくとも両端部と深い方の凹部(22)とに嵌合する突軸(25)と突部(26)(27)と突部(28)とを有し、かつ座(12)に対向する面に、その座(12)の枢軸(11)及びピン(20)が嵌合する、上記支持体(７)におけるのと同一の軸孔(29)及び長孔(30)を有している。
【００２０】
図７に示すように、このスペーサ(24)の右側面における突軸(25)と突部(26)(27)と突部(28)とを、それらに対向する支持体(７)の軸孔(19)と長孔(21)の両端部と深い方の凹部(22)とにそれぞれ嵌合し、かつ突部(26)(27)(28)の先端部を、止めねじ(31)をもって、長孔(21)の底部及び凹部(22)の底部にねじ止めすることにより、スペーサ(24)を支持体(７)に固着し、さらに、左端面における軸孔(29)及び長孔(30)に、対向する座(12)の枢軸(11)及びピン(20)を嵌合することにより、支持体(７)と座(12)とを互いに離間し、その上方に、後述する折り畳みテーブル装置(32)を設けるための空間(33)を確保し得るようにしている。
【００２１】
なお、この例では、４個の支持体(７)のうちの中間の２個の支持体(７)の左側面にスペーサ(24)を設けているが、それらの２個の支持体(７)の右側面にスペーサ(24)を設けることもできる。この場合に、上記スペーサ(24)そのものを、左右の向きを反転し、かつその突軸(25)及び突部(28)が、支持体(７)の右側面における軸孔(19)及び深い方の凹部(23)にそれぞれ嵌合するように、突軸(25)を中心とする向きを調整することにより、そのまま使用することができ、支持体(７)の右側面専用と左側面専用との２種類のスペーサを用意しておく必要がない。
【００２２】
また、連結椅子(２)に折り畳みテーブル装置(32)等を設けない場合は、スペーサ(24)を省略し、そのスペーサ(24)の厚さ分だけ隣接する支持体(７)(７)間の間隔を縮めるようにして、各支持体(７)を支持杆(６)に固定し、スペーサ(24)の軸孔(29)及び長孔(30)に嵌合していた座(12)の枢軸(11)及びピン(20)を、支持体(７)の軸孔(19)及び長孔(21)に直接嵌合すればよい。
【００２３】
図５及び図１１に示すように、各支持体(７)の上端部には、側面視がほぼ円形で、正面視が上向きの二股状をなす肘掛け支持部(34)が形成され、ここに、肘掛け(14)の中間部が嵌合され、かつ取付軸(13)をもって枢着されている。
【００２４】
スペーサ(24)が取り付けられた支持体(７)におけるスペーサ(24)側の面には、上記軸(固定軸)(13)の左端部が突出させられている。
取付軸(13)は、支持体(７)の肘掛け支持部(34)及び肘掛け(14)を貫通する小径部(35)と、その左端に連続する断面小判形の非円形部(36)と、その左端に連続する大径部(37)と、さらにその左端に連続する角軸部(38)とからなっている。
【００２５】
取付軸(13)の小径部(35)の右端には、抜け止め板(39)が止めねじ(40)により固着され、支持体(７)から抜け止めされている。また、非円形部(36)は、支持体(７)の肘掛け支持部(34)の左側面に設けられた回り止め板(41)の小判形の非円形孔(42)に嵌合され、支持体(７)に回り止めされている。
【００２６】
取付軸(13)の大径部(37)には、折り畳みテーブル装置(32)におけるブラケット(43)の後部に設けられたボス部(44)が、ブッシュ(45)を介して回転自在に外嵌されている。
【００２７】
図１１及び図１２に示すように、ブラケット(43)は、尖先部が前方を向く側面視雨滴状をなし、ボス部(44)の前部には、ボス部(44)を中心とする円弧状の長孔(46)が設けられ、この長孔(46)に、軸(13)と平行をなして支持体(７)の肘掛け支持部(34)、肘掛け(14)、及び回り止め板(41)を貫通するストッパピン(47)の左端部が嵌合することにより、ブラケット(43)は、前方を向く位置から下方を向く位置までの間を、取付軸(13)回りに回動可能となっている。
【００２８】
ブラケット(43)における前方に向けたときの上縁には、左方を向く突片(48)と、上方を向き、かつ上端部で前後方向を向く支軸(49)を支持する前後１対の軸受片(50)とが設けられている。支軸(49)には、前半部が右方に拡幅するようにした折り畳みテーブル(51)における後部左側縁に設けた軸受部(52)が、ブッシュ(53)を介して外嵌され、折り畳みテーブル(51)は、図３における最も右側の実線で示すもののように、肘掛け(14)上に載置されて、右方に水平に延出する使用位置と、同じく想像線で示すように、上方を向くはね上げ位置とに回動しうるようになっている。
【００２９】
また、折り畳みテーブル(51)は、はね上げ位置とした状態で、ブラケット(43)を下方を向く位置まで回動させることにより、図１に想像線で示すように、前向位置とすることができ、さらにこの状態から、支軸(49)を中心として右方に９０度回動させることにより、図３における左側の２個のもののように、拡幅部が座(12)の下方において、単位椅子(３)の内方、すなわちこの例では右方を向く収容位置に位置させることができる。
【００３０】
支軸(49)には、一方の端末が折り畳みテーブル(51)に、また他方の端末が軸受片(50)にそれぞれ係止され、折り畳みテーブル(51)をはね上げ位置側から使用位置に向かって常時付勢するねじりコイルばね(付勢手段)(54)が設けられている。したがって、ブラケット(43)を下方に向けたときも、折り畳みテーブル(51)は、収容位置に向かって常に付勢される。
【００３１】
各ブラケット(43)の左側面には、筒体(55)がケース(56)に対して所要の抵抗力を持って回動し得るようにした、公知の回動式ダンパ(57)における上記ケース(56)が、適宜のスペーサ(58)と止めねじ(59)とをもって固着され、かつ上記筒体(55)の中心に設けた角孔(60)が、取付軸(13)における角軸部(38)に嵌合されている。筒体(55)を貫通した角軸部(38)の左端には、円板状の押え板(61)が、止めねじ(62)をもって固着されている。
【００３２】
このような回動式ダンパ(57)としては、例えば不二精器株式会社製の「ディスクダンパー」を好適に用いることができる。
【００３３】
このような回動式ダンパ(57)を設けることにより、ブラケット(43)が不用意に移動することがなくなるとともに、折り畳みテーブル(51)の操作性が向上する。
【００３４】
図１、図３、及び図５に示すように、折り畳みテーブル装置(32)が設けられている支持体(７)の下部前面には、折り畳みテーブル(51)をその収容位置において保持する保持手段として、折り畳みテーブル(51)の磁性体部分、例えば鋼板部分等に吸着しうる公知のマグネットキャッチ(63)が取り付けられ、これにより、折り畳みテーブル(51)は、収容位置に強力に保持されるようになっている。
【００３５】
図１１〜図１３に示すように、ブラケット(43)の左側面には、このブラケット(43)の左側面と、回動式ダンパ(57)と、取付軸(13)の左端等を覆うカバー(64)が、その内部に設けられた前後１対のボス部(65)をブラケット(43)にねじ止めすることにより、着脱自在に装着されている。このカバー(64)は、ブラケット(43)の側面形とほぼ同形の側面形を有する浅い皿状をなし、その上端には、ブラケット(43)と折り畳みテーブル(51)との連結部分の外側面を覆う上向き突部(66)が設けられている。
【００３６】
このカバー(64)により、隣席着座者や通行人の安全性を確保することができるとともに、外観を向上することができる。また、ブラケット(43)と折り畳みテーブル(51)との連結部分の外側面が、カバー(64)の上向き突部(66)により覆われるので、上記連結部分に、隣席着座者の衣服等が挟まれるのを防止することができる。
【００３７】
上述の取付軸(13)、ブラケット(43)、折り畳みテーブル(51)、回動式ダンパ(57)、マグネットキャッチ(63)、カバー(64)等により、折り畳みテーブル装置(32)が形成され、この折り畳みテーブル装置(32)により、折り畳みテーブル(51)を、使用位置としたとき、肘掛け(14)上に載置されて、安定よく、メモ台等として使用することができ、また使用位置から上方にはね上げて、そのままブラケット(43)を下向き回動させることにより、座(12)の下方の邪魔にならない場所に簡単に、かつコンパクトに収容させることができ、しかも、多くの制約のある移動観覧席用の折り畳み椅子等にも好適に組み込むことができる等の効果を奏することができる。
【００３８】
【発明の効果】
請求項１記載の発明によると、支持体と座との対向面間にスペーサを設けることにより、支持体と椅子との間隔を簡単に変更することができ、それらの間に形成された空間に、必要に応じてオプション部材を装着したり、各単位の椅子を、左右幅の異なるものと交換したりすることが容易にできる。
【００３９】
請求項２記載の発明によると、同一のスペーサを、その向きを変えることによって、支持体の両側面のいずれにも取り付けることができ、支持体の右側面専用と左側面専用との２種類のスペーサを用意しておく必要がない。
【００４０】
請求項３記載の発明によると、支持体の一側面にスペーサを予め取り付けておくことができ、組み付け作業が容易となる。
【００４１】
請求項４記載の発明によると、スペーサを設けるのと並行して、複数の支持体を、その相互の間隔が大となるように、支持杆に沿って左右方向に移動することにより、単位となる椅子の左右方向の幅を変更することなく、オプション部材の取付のためのスペースを簡単に確保することができる。
【００４２】
請求項５記載の発明によると、各単位の椅子を折り畳み椅子とし、それとそれを支持する支持体との間隔を必要に応じて変更し、そこにオプション部材を装着したり、各単位の椅子を、左右幅の異なるものと交換したりすることができる。
【００４３】
請求項６記載の発明によると、スペーサを利用して、支持体と座との間に空間を形成し、そこに、折り畳みテーブル装置を簡単に設けることができる。
【図面の簡単な説明】
【図１】本発明を移動観覧席用の連結椅子に適用したときの一実施形態の使用時の状態を示す側面図である。
【図２】同じく、折り畳んだ状態を実線で、かつさらに前方に倒伏させた状態を想像線で示す側面図である。
【図３】同じく、図１の状態の正面図である。
【図４】同じく、図１の状態の平面図である。
【図５】同じく、要部の拡大正面図である。
【図６】同じく、１個の支持体の側面図である。
【図７】同じく、図６のVII−VIIに沿って、組み付け状態の要部を切断した拡大断面図である。
【図８】同じく、図６のVIII−VIIIに沿う拡大断面図である。
【図９】同じく、スペーサを右前方より見た斜視図である。
【図１０】同じく、スペーサを左前方より見た斜視図である。
【図１１】同じく、図６のXI−XIに沿って、組み付け状態の要部を切断した拡大断面図である。
【図１２】同じく、折り畳みテーブル装置の分解斜視図である。
【図１３】同じく、カバーを後方より見た斜視図である。
【符号の説明】
(１)段床
(２)連結椅子
(３)単位椅子
(４)起倒手段
(５)脚杆
(６)支持杆
(７)支持体
(８)凹部
(９)固定板
(10)ボルト
(11)枢軸
(12)座
(13)取付軸(固定軸)
(14)肘掛け
(15)ブラケット
(16)(17)軸ピン
(18)背凭れ
(19)軸孔
(20)ピン
(21)長孔
(22)(23)凹部
(24)スペーサ
(25)突軸
(26)(27)突部
(28)突部
(29)軸孔
(30)長孔
(31)止めねじ
(32)折り畳みテーブル装置
(33)空間
(34)肘掛け支持部
(35)小径部
(36)非円形部
(37)大径部
(38)角軸部
(39)抜け止め板
(40)止めねじ
(41)回り止め板
(42)非円形孔
(43)ブラケット
(44)ボス部
(45)ブッシュ
(46)長孔
(47)ストッパピン
(48)突片
(49)支軸
(50)軸受片
(51)折り畳みテーブル
(52)軸受部
(53)ブッシュ
(54)ねじりコイルばね(付勢手段)
(55)筒体
(56)ケース
(57)回動式ダンパ
(58)スペーサ
(59)止めねじ
(60)角孔
(61)押え板
(62)止めねじ
(63)マグネットキャッチ(保持手段)
(64)カバー
(65)ボス部
(66)上向き突部
【図１】
0003926210.tif 000002
【図２】
0003926210.tif 000003
【図３】
0003926210.tif 000004
【図４】
0003926210.tif 000005
【図５】
0003926210.tif 000006
【図６】
0003926210.tif 000007
【図７】
0003926210.tif 000008
【図８】
0003926210.tif 000009
【図９】
0003926210.tif 000010
【図１０】
0003926210.tif 000011
【図１１】
0003926210.tif 000012
【図１２】
0003926210.tif 000013
【図１３】
0003926210.tif 000014